(57)【特許請求の範囲】
【請求項１】
複数のアンテナを備え、前記アンテナにより無線端末との間で無線通信する複数の無線部と、
前記無線端末との間で複数の前記無線部によるマクロダイバーシティ通信及び単一の前記無線部による単一アンテナ通信を選択的に行う信号処理手段と、
前記無線端末からのアップリンク信号の受信電力を前記アンテナ毎に測定する受信電力測定手段と、
前記マクロダイバーシティ通信と前記単一アンテナ通信とのそれぞれにおける信号品質を測定する信号品質測定手段と、
前記無線部の隣接関係を表す情報、及び前記無線部のアンテナ配置情報に基づいて、前記マクロダイバーシティ通信に使用するアンテナの組み合わせを表す情報を作成する作成手段と、
前記受信電力の測定結果、前記信号品質の測定結果、及び前記アンテナの組み合わせを表す情報に基づいて、前記無線通信に使用するアンテナ組み合わせを選択する選択手段と
を具備し、
前記選択手段は、前記信号処理手段に前記マクロダイバーシティ通信又は前記単一アンテナ通信を実施させている間に定期的に他方の通信を試行させ、前記信号品質測定手段による前記信号品質の測定結果に基づいて前記他方の通信に切り替えることを特徴とする無線基地局装置。
【請求項２】
前記信号品質測定手段は、前記無線通信における全通信データ数及び正常通信データ数を測定し、前記正常通信データ数を前記全通信データ数で除算して得られる値を前記信号品質とすることを特徴とする請求項１記載の無線基地局装置。
【請求項３】
前記信号品質測定手段は、前記無線通信におけるエラービット率を測定し、（１−エラービット率）により得られる値を前記信号品質とすることを特徴とする請求項１記載の無線基地局装置。
【請求項４】
前記信号品質測定手段は、前記無線通信における基準周波数に対する受信周波数の変調率を測定し、（１−受信周波数の最大変調率）により得られる値を前記信号品質とすることを特徴とする請求項１記載の無線基地局装置。
【請求項５】
複数のアンテナを備え、前記アンテナにより無線端末との間で無線通信する複数の無線部を制御する無線部制御装置であって、
前記無線端末との間で複数の前記無線部によるマクロダイバーシティ通信及び単一の前記無線部による単一アンテナ通信を選択的に行う信号処理手段と、
前記無線端末からのアップリンク信号の受信電力を前記アンテナ毎に測定する受信電力測定手段と、
前記マクロダイバーシティ通信と前記単一アンテナ通信とのそれぞれにおける信号品質を測定する信号品質測定手段と、
前記無線部の隣接関係を表す情報、及び前記無線部のアンテナ配置情報に基づいて、前記マクロダイバーシティ通信に使用するアンテナの組み合わせを表す情報を作成する作成手段と、
前記受信電力の測定結果、前記信号品質の測定結果、及び前記アンテナの組み合わせを表す情報に基づいて、前記無線通信に使用するアンテナ組み合わせを選択する選択手段と
を具備し、
前記選択手段は、前記信号処理手段に前記マクロダイバーシティ通信又は前記単一アンテナ通信を実施させている間に定期的に他方の通信を試行させ、前記信号品質測定手段による前記信号品質の測定結果に基づいて前記他方の通信に切り替えることを特徴とする無線部制御装置。
【請求項６】
複数のアンテナを備え、前記アンテナにより無線端末との間で無線通信する複数の無線部を制御する無線部制御装置に用いられる方法であって、
前記無線端末との間で複数の前記無線部によるマクロダイバーシティ通信及び単一の前記無線部による単一アンテナ通信を選択的に行うことと、
前記無線端末からのアップリンク信号の受信電力を前記アンテナ毎に測定することと、
前記マクロダイバーシティ通信と前記単一アンテナ通信とのそれぞれにおける信号品質を測定することと、
前記無線部の隣接関係を表す情報、及び前記無線部のアンテナ配置情報に基づいて、前記マクロダイバーシティ通信に使用するアンテナの組み合わせを表す情報を作成することと、
前記受信電力の測定結果、前記信号品質の測定結果、及び前記アンテナの組み合わせを表す情報に基づいて、前記無線通信に使用するアンテナ組み合わせを選択することと
を具備し、
前記選択することにおいて、前記マクロダイバーシティ通信又は前記単一アンテナ通信を実施させている間に定期的に他方の通信を試行させ、前記信号品質の測定結果に基づいて前記他方の通信に切り替えることを特徴とする無線通信方法。
【発明の詳細な説明】
【技術分野】
【０００１】
本発明の実施形態は、無線端末との間で無線通信を行う無線基地局装置、無線部制御装置及び無線通信方法に関する。
【背景技術】
【０００２】
近年、移動無線通信システムの高度化・高速化が進み、ＷｉＭＡＸやＬＴＥ、ＸＧＰシステムなどの通信システムにおいて１００Ｍｂｐｓを超える理論速度を持った無線通信実現についての検討が行われている。無線通信の高速化を実現するための技術として、基地局がアンテナを複数持ち、空間多重を行うことにより端末との間の通信速度を向上するＭＩＭＯ（Multiple Input Multiple Output）技術が挙げられ、多くの次世代移動無線通信システムにおいて適用が検討されている。
【０００３】
しかし、ＭＩＭＯはセル中心部の速度向上が見込める半面、セルエッジ付近での通信劣化が問題とされてきた。そこで、異なる基地局のアンテナを用いて端末の受信電力を向上させるマクロダイバーシティについての検討が進められ、セルエッジ付近に存在する端末の利得向上技術として重要視されている。マクロダイバーシティは複数の基地局を用いた通信により端末の利得向上を実現するため、基地局をまたがるアンテナ制御と通信方式が必須となる。
【先行技術文献】
【特許文献】
【０００４】
【特許文献１】特開２００８−８６０３２号公報
【特許文献２】特開２００１−１６６３３号公報
【発明の概要】
【発明が解決しようとする課題】
【０００５】
本実施形態の目的は、セルエッジ付近の端末の通信品質を効率良く高めることができる無線基地局装置、無線部制御装置及び無線通信方法を提供することにある。
【課題を解決するための手段】
【０００６】
本実施形態に係る無線基地局装置は、複数のアンテナを備え、前記アンテナにより無線端末との間で無線通信する複数の無線部と、前記無線端末との間で複数の前記無線部によるマクロダイバーシティ通信及び単一の前記無線部による単一アンテナ通信を選択的に行う信号処理手段と、前記無線端末からのアップリンク信号の受信電力を前記アンテナ毎に測定する受信電力測定手段と、前記マクロダイバーシティ通信と前記単一アンテナ通信とのそれぞれにおける信号品質を測定する信号品質測定手段と、前記無線部の隣接関係を表す情報、及び前記無線部のアンテナ配置情報に基づいて、前記マクロダイバーシティ通信に使用するアンテナの組み合わせを表す情報を作成する作成手段と、前記受信電力の測定結果、前記信号品質の測定結果、及び前記アンテナの組み合わせを表す情報に基づいて、前記無線通信に使用するアンテナ組み合わせを選択する選択手段とを具備し、前記選択手段は、前記信号処理手段に前記マクロダイバーシティ通信又は前記単一アンテナ通信を実施させている間に定期的に他方の通信を試行させ、前記信号品質測定手段による前記信号品質の測定結果に基づいて前記他方の通信に切り替えるものである。
【０００７】
本実施形態に係る無線部制御装置は、複数のアンテナを備え、前記アンテナにより無線端末との間で無線通信する複数の無線部を制御する無線部制御装置であって、前記無線端末との間で複数の前記無線部によるマクロダイバーシティ通信及び単一の前記無線部による単一アンテナ通信を選択的に行う信号処理手段と、前記無線端末からのアップリンク信号の受信電力を前記アンテナ毎に測定する受信電力測定手段と、前記マクロダイバーシティ通信と前記単一アンテナ通信とのそれぞれにおける信号品質を測定する信号品質測定手段と、前記無線部の隣接関係を表す情報、及び前記無線部のアンテナ配置情報に基づいて、前記マクロダイバーシティ通信に使用するアンテナの組み合わせを表す情報を作成する作成手段と、前記受信電力の測定結果、前記信号品質の測定結果、及び前記アンテナの組み合わせを表す情報に基づいて、前記無線通信に使用するアンテナ組み合わせを選択する選択手段とを具備し、前記選択手段は、前記信号処理手段に前記マクロダイバーシティ通信又は前記単一アンテナ通信を実施させている間に定期的に他方の通信を試行させ、前記信号品質測定手段による前記信号品質の測定結果に基づいて前記他方の通信に切り替えるものである。
【０００８】
本実施形態に係る無線通信方法は、複数のアンテナを備え、前記アンテナにより無線端末との間で無線通信する複数の無線部を制御する無線部制御装置に用いられる方法であって、前記無線端末との間で複数の前記無線部によるマクロダイバーシティ通信及び単一の前記無線部による単一アンテナ通信を選択的に行うことと、前記無線端末からのアップリンク信号の受信電力を前記アンテナ毎に測定することと、前記マクロダイバーシティ通信と前記単一アンテナ通信とのそれぞれにおける信号品質を測定することと、前記無線部の隣接関係を表す情報、及び前記無線部のアンテナ配置情報に基づいて、前記マクロダイバーシティ通信に使用するアンテナの組み合わせを表す情報を作成することと、前記受信電力の測定結果、前記信号品質の測定結果、及び前記アンテナの組み合わせを表す情報に基づいて、前記無線通信に使用するアンテナ組み合わせを選択することとを具備し、前記選択することにおいて、前記マクロダイバーシティ通信又は前記単一アンテナ通信を実施させている間に定期的に他方の通信を試行させ、前記信号品質の測定結果に基づいて前記他方の通信に切り替えるものである。
【図面の簡単な説明】
【０００９】
【図１】本実施形態に係る無線基地局装置を備える無線通信システムの全体構成図。
【図２】図１の無線基地局装置の構成を示すブロック図。
【図３】アンテナ組み合わせ情報の作成処理を示す図。
【図４】受信電力測定処理を示す図。
【図５】マクロダイバーシティ可否判定処理を示す図。
【図６】マクロダイバーシティ使用アンテナ選択処理を示す図。
【図７】マクロダイバーシティ通信開始シーケンスを示す図。
【図８】マクロダイバーシティ通信開始シーケンスを示す図。
【図９】マクロダイバーシティの実施判定処理を示すフローチャート。
【発明を実施するための形態】
【００１０】
以下、図面を参照しながら本実施形態に係る無線基地局装置、無線部制御装置及び無線通信方法を説明する。
【００１１】
図１は、本実施形態に係る無線基地局装置を備える無線システムの全体構成図である。本実施形態では、従来基地局の無線部と制御部を分離し、制御部を集約した基地局形態によってマクロダイバーシティを実現する。
【００１２】
図１において、ゲートウェイ装置ＧＷにはＩＰ網／公衆通信網ＮＷが接続され、ゲートウェイ装置ＧＷには複数の無線基地局装置ＢＳ１，ＢＳ２が接続される。無線基地局装置ＢＳ１は、無線の送受信を行う複数の無線部Ｒ１１〜Ｒ１ｎと、無線にかかる信号処理、および信号の分配を行う無線部制御装置Ｇ１とを備える。無線端末、あるいは無線通信用データカードを備えるＰＣ（パーソナルコンピュータ）などの無線端末装置ＭＳ１１〜ＭＳ１ｍは、無線部Ｒ１１〜Ｒ１ｎとの間で音声、またはデータ通信を行う。無線部Ｒ１１〜Ｒ１ｎは、それぞれアンテナを複数本備え、複数アンテナの送信電力を調整してダウンリンク信号に指向性を持たせることを可能とする。無線基地局装置ＢＳ２は、無線基地局装置ＢＳ１と同様に、無線部制御装置Ｇ２と、無線端末装置との間で無線通信を行う複数の無線部Ｒ２１〜Ｒ２ｎとを備える。
【００１３】
図２は、無線基地局装置の構成の一例を示すブロック図である。以下では、無線基地局装置ＢＳ１を代表として説明する。
【００１４】
図２において、ゲートウェイ装置ＧＷはＩＰ網／公衆通信網ＮＷと無線部制御装置Ｇ１とに接続され、無線部制御装置Ｇ１と複数の無線部Ｒ１１，Ｒ１２は、例えば光ファイバなどの有線伝送路で接続される。無線部Ｒ１１には無線端末装置ＭＳ１１，ＭＳ１２との間の無線通信用の複数のアンテナＡＮ１１〜ＡＮ１ｎが設けられ、同様に無線部Ｒ１２にも無線通信用の複数のアンテナＡＮ２１〜ＡＮ２ｎが設けられる。
【００１５】
無線端末装置ＭＳ１１，ＭＳ１２と無線部Ｒ１１，Ｒ１２とには無線通信部１０１が設けられ、無線端末装置ＭＳ１１，ＭＳ１２は無線通信部１０１により、１または複数の無線部と無線通信を行う。無線部制御装置Ｇ１には、ゲートウェイ装置ＧＷから受信したデータを、無線端末装置ＭＳ１１，ＭＳ１２と無線通信を行う無線部Ｒ１１，Ｒ１２へ分配する信号分配部１０２と、無線通信にかかる制御を行う信号処理部１０３とが設けられる。
【００１６】
信号処理部１０３は、無線部Ｒ１１，Ｒ１２の信号処理を制御する役割を備え、ここでは、無線部Ｒ１１，Ｒ１２の数に合わせて複数の信号処理部１０３１，１０３２が設けられるものとする。ただし、これに限らず１つの信号処理部１０３が複数の無線部を制御することも可能とし、無線部の台数と信号処理部の数が異なる値となることを許容する。
【００１７】
無線部制御装置Ｇ１は、無線部Ｒ１１，Ｒ１２を介して受信した無線端末装置ＭＳ１１，ＭＳ１２からのアップリンクデータを、ゲートウェイ装置ＧＷを介してＩＰ網／公衆通信網ＮＷへ送信する。また、ゲートウェイ装置ＧＷを介して受信したＩＰ網／公衆通信網ＮＷからのダウンリンクデータを信号分配部１０２により適切な無線部に分配し、無線部Ｒ１１，Ｒ１２を介して無線端末装置ＭＳ１１，ＭＳ１２へ送信する。
【００１８】
さらに、無線部制御装置Ｇ１は、受信電力測定部１０４、受信電力集約情報記憶部１０５、スループット測定部１０６、隣接無線部情報記憶部１０７、アンテナ情報作成部１０８、アンテナ組み合わせ情報記憶部１０９、及びアンテナ選択部１１０を備える。受信電力測定部１０４は、無線端末装置ＭＳ１１，ＭＳ１２からのアップリンク信号の受信電力を各無線部のアンテナ毎に測定し、受信電力の測定値を集約した受信電力集約情報を受信電力集約情報記憶部１０５に記憶する。
【００１９】
スループット測定部１０６は、無線部Ｒ１，Ｒ２の通信状態からスループットを測定する。例えば、スループットは、全通信データ数及び正常通信データ数を測定し、正常通信データ数を全通信データ数で除算して得られる値とする。隣接無線部情報記憶部１０７には、地理的に隣接している無線部の組み合わせを表す情報（隣接無線部情報）が記憶される。地理的に隣接しているかの判定は、例えば、無線部間の距離と各無線部の送信電波範囲をもとに、送信電波範囲が重なる無線部を隣接すると判定する。アンテナ情報作成部１０８は、隣接無線部情報記憶部１０７に記憶された隣接無線部情報、各無線部のアンテナ配置情報、無線部Ｒ１，Ｒ２の受信電力、及びスループットに基づいて、隣接する無線部毎にアンテナの組み合わせを表すアンテナ組み合わせ情報を作成し、アンテナ組み合わせ情報記憶部１０９に記憶する。アンテナ選択部１１０は、受信電力集約情報、隣接無線部情報、及びアンテナ組み合わせ情報に基づいて、無線部Ｒ１１のアンテナＡＮ１１〜ＡＮ１ｎ及び無線部Ｒ１２のアンテナＡＮ２１〜ＡＮ２ｎのうちから、無線端末装置ＭＳ１１，ＭＳ１２間の無線通信に使用するアンテナの組み合わせを選択する。
【００２０】
このように構成される無線部制御装置Ｇ１の動作について以下に説明する。  
（アンテナ組み合わせ情報作成）  
図３に、アンテナ組み合わせ情報の作成処理の一例を示す。
【００２１】
図３では、無線部Ｒ１１について、基地局設置時における各アンテナＡＮ１１〜ＡＮ１４のアンテナ配置情報が初期情報として与えられる。無線部Ｒ１２、Ｒ１３についても同様とする。無線部制御装置Ｇ１のアンテナ情報作成部１０８は、隣接無線部情報記憶部１０７に記憶された隣接無線部情報をもとに、無線部組み合わせ情報についてアンテナ組み合わせを決定する。アンテナの組み合わせを決定する無線部組み合わせ数は、マクロダイバーシティ可能なアンテナの上限数Ｍに依存し、アンテナ上限数以下の組み合わせについてアンテナ組み合わせを決定する。例えば、アンテナ上限数Ｍ＝２の場合は、２台の無線部組み合わせについて考慮しアンテナ組み合わせパターンを決定する。アンテナ上限数Ｍ＝３の場合は、３台の無線部組み合わせまで考慮しアンテナ組み合わせパターンを決定する。アンテナ組み合わせ情報記憶部１０９に組み合わせ受信電力、スループットの領域は用意されているが、アンテナ組み合わせ決定時には空の状態である。
【００２２】
（マクロダイバーシティ制御）  
無線端末装置と無線部との間のマクロダイバーシティ通信は、受信電力測定部１０４により無線端末装置からのアップリンク信号の受信電力を測定し、過去のスループット情報（過去実績）がある場合は、過去のスループット情報をもとに、過去のスループット情報（過去実績）がない場合は、受信電力の測定結果をもとにマクロダイバーシティの可否を判断し、マクロダイバーシティ可能と判断された場合はマクロダイバーシティに使用するアンテナ組み合わせを決定して送信制御を行うことで実現する。詳細は後述する。
【００２３】
（受信電力測定）  
図４に、無線端末装置のアップリンク信号の受信電力測定の一例を示す。
【００２４】
図４では、複数の無線部Ｒ１１〜Ｒ１４が無線部制御装置Ｇ１に接続されている。無線部制御装置Ｇ１の受信電力測定部１０４は、各無線部Ｒ１１〜Ｒ１４における無線端末装置ＭＳ１１から送信されるアップリンク信号Ａ１２の受信電力を測定し、受信電力情報ＩＮ１１〜１４を無線部制御装置Ｇ１のアンテナ選択部１１０へ通知する。各無線部Ｒ１１〜Ｒ１４は複数本のアンテナＡＮ１１〜１４、ＡＮ２１〜２４、ＡＮ３１〜３４、ＡＮ４１〜４４を持つため、受信電力測定は各無線部の無線通信用アンテナ毎に行う。本図ではアンテナ数が４本の例を示したが、アンテナ本数は無線通信システムに依存する。
【００２５】
（マクロダイバーシティ可否の判断）  
図５に、無線部制御装置の受信電力集約情報記憶部１０５に記憶される内容とマクロダイバーシティ可否判断の一例（スループット情報（過去実績）がない場合）を示す。
【００２６】
無線部制御装置Ｇ１内の受信電力測定部１０４から各無線部Ｒ１１〜Ｒ１４の受信電力情報が通知されると、アンテナ選択部１１０は、受信電力情報ＩＮ１１〜ＩＮ１４を集約し、受信電力集約情報記憶部１０５に格納する。また、受信電力集約情報として格納する際、各受信電力情報について対応する無線部を示す情報とアンテナを示す情報とを記憶するとともに、受信電力の大きさによるソーティングを行う。
【００２７】
無線部制御装置Ｇ１のアンテナ選択部１１０にはあらかじめ受信電力閾値情報Ｒが設定され、受信電力集約情報記憶部１０５に集約された受信電力集約情報と受信電力閾値情報Ｒを用いてマクロダイバーシティの可否を判断する。
【００２８】
図５及び図６では、受信電力閾値情報Ｒ＝５０ｄＢの場合のマクロダイバーシティ可否判断の一例を示す。
【００２９】
図５おいて、無線部制御装置Ｇ１のアンテナ選択部１１０は、受信電力集約情報記憶部１０５の受信電力集約情報を参照し、無線端末装置ＭＳ１１からの受信電力が受信電力閾値情報Ｒより大きいアンテナをマクロダイバーシティ候補アンテナとして決定する。マクロダイバーシティ候補アンテナとして決定したアンテナが複数存在する場合は、さらに図６に示すようなマクロダイバーシティ可否判断を行う。
【００３０】
候補アンテナごとのスループット（過去実績）とアンテナ組み合わせ情報記憶部１０９のアンテナの組み合わせごとのスループット（過去実績）とのいずれかが存在しない場合は、マクロダイバーシティを実施する。すべて存在する場合は、候補アンテナごとの受信電力と、アンテナ組み合わせ情報記憶部１０９の組み合わせ受信電力とを比較し、各アンテナの受信電力がいずれも組み合わせ受信電力より大きく、かつ、各アンテナの受信電力に対するスループットのいずれと比べても、アンテナ組み合わせ情報記憶部１０９のスループットが大きい場合にマクロダイバーシティを実施する。それ以外は、候補アンテナの最もスループットが高いアンテナにより単一アンテナによる通信を行う。また、マクロダイバーシティ候補アンテナが単一のアンテナであった場合、マクロダイバーシティ不可と判断して単一アンテナによる通信を行う。
【００３１】
（アンテナ組み合わせ情報作成シーケンス）  
図７は、マクロダイバーシティ通信開始シーケンスの一例を示したものである。
【００３２】
対象端末（無線端末装置ＭＳ１１）が決定されると、受信電力測定部１０４は、受信電力測定タイミング（Ｓ７０１）の発生により、アンテナ選択部１１０に受信電力通知（Ｓ７０２）を行う。アンテナ選択部１１０は、アンテナ情報作成部１０８に受信電力保存（Ｓ７０３）を指示し、受信電力、スループット（過去実績があれば）の参照（Ｓ７０６）を行い、マクロダイバーシティ可否判定（Ｓ７０５）を行う。
【００３３】
ここでは、マクロダイバーシティ通信可能と判断しマクロダイバーシティ通信（Ｓ７０７）を行う。マクロダイバーシティ通信実施（Ｓ７０８）の指示を、無線部Ｒ１１〜１ｎに対し行う。アンテナ選択部１１０は、受信電力測定部１０４から受信電力参照（Ｓ７０９）を行い、スループット測定部１０６にマクロダイバーシティでの測定指示（Ｓ７１０）を行う。スループット測定部１０６は、スループットの測定結果と受信電力をアンテナ情報作成部１０８に通知し、アンテナ組み合わせ情報記憶部１０９の組み合わせ受信電力、スループットの領域へ受信電力、スループット保存（Ｓ７１１）を指示する。その後、マクロダイバーシティで５分間運用（Ｓ７１２）を行う。
【００３４】
その後、単一アンテナ通信試行（Ｓ７１３）に入り、アンテナ選択部１１０は、単一アンテナ通信試行（Ｓ７１４）を無線部Ｒ１１〜１ｎに指示する。アンテナ選択部１１０は、受信電力測定部１０４から受信電力参照（Ｓ７１５）を行い、スループット測定部１０６に単一アンテナでの測定指示（Ｓ７１６）を行う。スループット測定部１０６は、スループットの測定結果と受信電力をアンテナ情報作成部１０８に通知し、アンテナ組み合わせ情報記憶部１０９の組み合わせ受信電力、スループットの領域への受信電力、スループット保存（Ｓ７１７）を指示する。アンテナ選択部１１０では単一アンテナのスループットからマクロダイバーシティのスループットより効果があるか効果判定（Ｓ７１８）し、効果がないと判定した場合は、マクロダイバーシティ通信（Ｓ７１９）を行い、マクロダイバーシティ通信（Ｓ７０７）と同様の動作を行う。以降、単一アンテナ通信試行（Ｓ７２０）では単一アンテナ通信試行（Ｓ７１３）と同様の動作を行う。以降、マクロダイバーシティ通信と単一アンテナ通信試行を繰り返す。また、図７には記載していないが、単一アンテナ通信の方が効果があると判定した場合には、図８の単一アンテナ通信（Ｓ８０７）とマクロダイバーシティ通信試行（Ｓ８１３）が繰り返されることになる。
【００３５】
図８は、マクロダイバーシティ通信開始シーケンスの他の例を示したものである。なお、図８のＳ８０１からＳ８０６までは、上記図７のＳ７０１からＳ７０６までと同様の動作を行う。図７のシーケンスと異なる点は、マクロバーシティ可否判定（Ｓ８０５）で単一アンテナ通信を実施する判定をしたケースであり、単一アンテナ通信（Ｓ８０７）を行いながら、マクロダイバーシティ通信試行（Ｓ８１３）を行い、マクロダイバーシティの効果を定期的に効果判定（Ｓ８１８）することにより、マクロバーシティ通信への変更判断を行っている。
【００３６】
（マクロダイバーシティの実施判定）  
図９は、マクロダイバーシティの実施判定処理を示すフローチャートである。
【００３７】
アンテナ選択部１１０は、対象端末の決定（Ｓ９０１）がされると、スループット（過去実績）が有るかを判定する（Ｓ９０２）。スループット（過去実績）がない場合（Ｓ９０２：ＮＯ）は、受信電力、及び組み合わせ受信電力によりマクロダイバーシティ可能か（Ｓ９０７）を判定する。マクロダイバーシティ可能な場合（Ｓ９０７：ＹＥＳ）は、Ｓ９０４に移行し、マクロダイバーシティ不可の場合（Ｓ９０７：ＮＯ）は、Ｓ９０８に移行する。
【００３８】
スループット（過去実績）がある場合（Ｓ９０２：ＹＥＳ）は、スループット（過去実績）によりマクロダイバーシティ可能か（Ｓ９０３）を判断する。マクロダイバーシティ可能な場合（Ｓ９０３：ＹＥＳ）は、マクロダイバーシティ通信を実施し、スループット測定を行う（Ｓ９０４）。その５分後、単一アンテナ通信を試行、スループット測定を行い（Ｓ９０５）、単一アンテナ通信の方が効果があるかを判定し（Ｓ９０６）、効果がないと判定した場合（Ｓ９０６：ＮＯ）は、マクロダイバーシティ通信の実施を続け、５分後、再び単一アンテナ通信を試行、スループット測定（Ｓ９０５）を行う。効果があると判定した場合（Ｓ９０６：ＹＥＳ）は、単一アンテナでの通信を実施、スループット測定を行う（Ｓ９０８）。５分後、マクロダイバーシティを試行、スループット測定を行い（Ｓ９０９）、効果があるかを判定する（Ｓ９１０）。
【００３９】
なお、上記実施形態において、マクロダイバーシティ実施／非実施を決定する指標としてスループット以外にエラービット率、周波数変調率等、通信の効率を意味する別の指標を用いることもできる。例えば、信号品質として、エラービット率を測定し、（１−エラービット率）により得られる値や、基準周波数に対する受信周波数の変調率を測定し、（１−受信周波数の最大変調率）により得られる値を用いることもできる。
【００４０】
以上述べたように本実施形態によれば、マクロダイバーシティ効果の実績をもとに実施／非実施を決定するため、また、マクロダイバーシティと単一アンテナによる通信の両方を定期的に行い効果を判断するため、状況に応じた的確な効果を判断でき、マクロダイバーシティを実施できる。また、同じ受信電力であっても、無線部、端末の配置状態によりマクロダイバーシティ効果を期待できる場合と、期待できない場合の差が生じても、リアルタイムに効果を判断しているため、高スループットのマクロダイバーシティの実施／非実施が期待できる。
【００４１】
したがって、本実施形態によれば、移動通信システムにおいて、効率的にマクロダイバーシティ通信実施選択することで、セルエッジ付近の端末の通信品質を効率良く高めることが可能となる。
【００４２】
なお、いくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４３】
ＢＳ１，ＢＳ２…無線基地局装置、Ｇ１，Ｇ２…無線部制御装置、Ｒ１１〜Ｒ１ｎ，Ｒ２１〜Ｒ２ｎ…無線部、ＭＳ１１〜ＭＳ１ｍ，ＭＳ２１〜ＭＳ２ｍ…無線端末装置、ＧＷ…ゲートウェイ装置、ＮＷ…ＩＰ網／公衆通信網、ＡＮ１１〜１ｎ，ＡＮ２１〜ＡＮ２ｎ…無線通信用アンテナ、１０１，２０１…無線通信部、１０２…信号分配部、１０３…信号処理部、１０４…受信電力測定部、１０５…受信電力集約情報記憶部、１０６…スループット測定部、１０７…隣接無線部情報記憶部、１０８…アンテナ情報作成部、１０９…アンテナ組み合わせ情報記憶部、１１０…アンテナ選択部。
【図１】
0005197781.tif 000002
【図２】
0005197781.tif 000003
【図３】
0005197781.tif 000004
【図４】
0005197781.tif 000005
【図５】
0005197781.tif 000006
【図６】
0005197781.tif 000007
【図７】
0005197781.tif 000008
【図８】
0005197781.tif 000009
【図９】
0005197781.tif 000010